(57)【要約】【課題】本発明は、ディスプレイの外形を形成する筐体に液晶表示装置を実装する際に、筐体に支持される外側フレームに対する表示領域のずれを調整できる液晶表示装置を提供する。【解決手段】２つの基板に挟持された液晶材を駆動することにより画像を表示する表示領域を設けた液晶基板ＬＣと、液晶基板ＬＣの外側の少なくとも一部を覆う外側フレームＯＦと、外側フレームＯＦの内側に設けられて、液晶基板ＬＣを固定する内側フレームＩＦと、外側フレームＯＦと内側フレームＩＦとを連結するように配置されて、外側フレームＯＦに対する内側フレームＩＦの位置を調整することにより、外側フレームＯＦに対する表示領域の位置を調整する調整ネジＡＳと、を含むことを特徴とする液晶表示装置。【選択図】図５
2010072600.tif 000002
【特許請求の範囲】
【請求項１】
２つの基板に挟持された液晶材を駆動することにより画像を表示する表示領域を設けた液晶基板と、
前記液晶基板の外側の少なくとも一部を覆う外側フレームと、
前記外側フレームの内側に設けられて、前記液晶基板を固定する固定部材と、
前記外側フレームと前記固定部材とを連結するように配置されて、前記外側フレームに対する前記固定部材の位置を調整することにより、前記外側フレームに対する前記表示領域の位置を調整する調整機構と、
を含むことを特徴とする液晶表示装置。
【請求項２】
請求項１の液晶表示装置は、
前記調整機構は、その少なくとも一部が前記外側フレームの外側において露出することにより調整操作を受け入れる、
ことを特徴とする液晶表示装置。
【請求項３】
請求項２の液晶表示装置は、
前記調整機構は、前記外側フレームに設けられた貫通穴に挿入されて、該貫通穴に応じて前記固定部材に設けられたネジ穴と螺合する少なくとも１つの調整ネジを含み、
前記調整ネジは、そのネジ頭が前記外側フレームの外側に露出して回転動作を受け入れることにより、前記外側フレームと前記固定部材の間に設けられた間隔を調整して、前記外側フレームに対する前記固定部材の位置を調整する、
ことを特徴とする液晶表示装置。
【請求項４】
請求項３の液晶表示装置は、
前記固定部材は、前記液晶基板の外周部を支える内側フレームであって、
前記調整ネジは、前記外側フレームと前記内側フレームとの間隔を調整することにより、前記外側フレームに対する前記内側フレームの位置を調整する、
ことを特徴とする液晶表示装置。
【請求項５】
請求項４の液晶表示装置は、
前記内側フレームは、前記液晶基板と当接して前記液晶基板の位置を決定して前記液晶基板を固定する位置固定部を、前記液晶基板の外周部を支える部分に形成する、
ことを特徴とする液晶表示装置。
【請求項６】
請求項４の液晶表示装置は、
前記内側フレームは、前記液晶基板の外周部を支える部分に、前記ネジ穴を設けたネジ穴穿設壁を形成し、
前記調整ネジは、前記ネジ穴と螺合して前記外側フレームと前記ネジ穴穿設壁との間隔を調整することにより、前記外側フレームに対する前記内側フレームの位置を調整する、
ことを特徴とする液晶表示装置。
【請求項７】
請求項５の液晶表示装置は、
前記位置固定部のいずれかは、前記液晶基板におけるいずれかの一辺の所定部分から、該一辺に沿って前記液晶基板の端部まで当接しつつ、該端部に対して延設されるように壁状に形成されて、
該位置固定部は、前記端部に対して延設された部分に前記ネジ穴を形成し、
前記調整ネジは、前記ネジ穴と螺合して前記外側フレームと該位置固定部との間隔を調整することにより、前記外側フレームに対する前記内側フレームの位置を調整する、
ことを特徴とする液晶表示装置。
【請求項８】
請求項４の液晶表示装置は、
前記液晶基板の下側に、前記液晶基板に光源を提供する光源部を含み、
前記内側フレームは、前記液晶基板の外周部を支えるとともに、前記光源部の側方を覆い、
前記内側フレームは、前記光源部の側方を覆う部分に、前記ネジ穴を設け、
前記調整ネジは、前記ネジ穴と螺合して前記外側フレームと前記内側フレームとの間隔を調整することにより、前記外側フレームに対する前記内側フレームの位置を調整する、
ことを特徴とする液晶表示装置。
【請求項９】
請求項３の液晶表示装置は、
前記調整機構は、前記調整ネジの延長線上以外の部分に設けられる別の調整ネジであって、前記調整ネジが調整する前記間隔の方向と同一の方向に調整する少なくとも１つの調整ネジと、前記間隔の方向に対して垂直となる方向に調整する少なくとも１つの調整ネジと、を含む、
ことを特徴とする液晶表示装置。
【請求項１０】
請求項１の液晶表示装置は、
前記外側フレーム及び前記固定部材は、互いに仮固定してこれらの位置関係を拘束する仮固定部をともに形成し、
前記調整機構は、前記仮固定部に拘束される範囲内で前記外側フレームに対する前記固定部材の位置を調整する、
ことを特徴とする液晶表示装置。
【請求項１１】
請求項１の液晶表示装置は、
前記外側フレームは、前記一部が露出する部分に、前記一部が収納されるように凹部を形成する、
ことを特徴とする液晶表示装置。
【請求項１２】
請求項４の液晶表示装置は、
前記内側フレームは、金属及び樹脂により一体成型されて、少なくとも前記調整ネジと螺合するネジ穴を設ける部分が樹脂で形成される、
ことを特徴とする液晶表示装置。
【発明の詳細な説明】
【技術分野】
【０００１】
本発明は、車載用ディスプレイ等のディスプレイの外形を形成する筐体に実装される液晶表示装置に関する。
【背景技術】
【０００２】
カーナビゲーション画面等を表示する車載用ディスプレイ等は、最終的にユーザに使用されるディスプレイの外形を形成する筐体に、液晶表示装置のモジュール（以下、液晶表示装置）が実装されることにより形成される。この液晶表示装置は、一般に、画像や映像等を所定の表示領域で表示する液晶基板と、液晶基板を固定する固定部材と、これらを外側から覆うとともに筐体に保持されるフレーム（以下、外側フレーム）とを含んで構成される。
【０００３】
上記の筐体に対して液晶表示装置を実装する際には、液晶表示装置の映像等を表示させる筐体の開口部に対して外側フレームが位置決めされて固定されることとなる。
【発明の開示】
【発明が解決しようとする課題】
【０００４】
一般に、液晶表示装置は、液晶基板を形成するガラス基板の切断交差等、各部材で様々な寸法公差を有している。この切断交差等の寸法公差のひとつひとつをさらに抑制するのは困難であり、これらの寸法公差の影響により、液晶基板の表示領域と外側フレームとの位置関係にずれが生じる。そして外側フレームは、上記の筐体の開口部に対して位置決めされる基準となることから、外側フレームと表示領域との位置関係のずれは、筐体の開口部と表示領域との間に、ディスプレイ毎に異なるずれを発生させる要因となる。
【０００５】
本発明は、上記の課題に鑑みて、ディスプレイの外形を形成する筐体に液晶表示装置を実装する際に、筐体に支持される外側フレームに対する表示領域のずれを調整できる液晶表示装置を提供することを目的とする。
【課題を解決するための手段】
【０００６】
（１）上記の課題を解決するために、本発明に係る液晶表示装置は、２つの基板に挟持された液晶材を駆動することにより画像を表示する表示領域を設けた液晶基板と、前記液晶基板の外側の少なくとも一部を覆う外側フレームと、前記外側フレームの内側に設けられて、前記液晶基板を固定する固定部材と、前記外側フレームと前記固定部材とを連結するように配置されて、前記外側フレームに対する前記固定部材の位置を調整することにより、前記外側フレームに対する前記表示領域の位置を調整する調整機構と、を含むことを特徴とする。（１）に係る液晶表示装置によれば、ディスプレイの筐体に保持される外側フレームに対する表示領域のずれを調整できる。
【０００７】
（２）（１）の液晶表示装置は、前記調整機構は、その少なくとも一部が前記外側フレームの外側において露出することにより調整操作を受け入れる、ことを特徴とする。
【０００８】
（３）（２）の液晶表示装置は、前記調整機構は、前記外側フレームに設けられた貫通穴に挿入されて、該貫通穴に応じて前記固定部材に設けられたネジ穴と螺合する少なくとも１つの調整ネジを含み、前記調整ネジは、そのネジ頭が前記外側フレームの外側に露出して回転動作を受け入れることにより、前記外側フレームと前記固定部材の間に設けられた間隔を調整して、前記外側フレームに対する前記固定部材の位置を調整する、ことを特徴とする。
【０００９】
（４）（３）の液晶表示装置は、前記固定部材は、前記液晶基板の外周部を支える内側フレームであって、前記調整ネジは、前記外側フレームと前記内側フレームとの間隔を調整することにより、前記外側フレームに対する前記内側フレームの位置を調整する、ことを特徴とする。
【００１０】
（５）（４）の液晶表示装置は、前記内側フレームは、前記液晶基板と当接して前記液晶基板の位置を決定して前記液晶基板を固定する位置固定部を、前記液晶基板の外周部を支える部分に形成する、ことを特徴とする。
【００１１】
（６）（４）乃至（５）の何れかの液晶表示装置は、前記内側フレームは、前記液晶基板の外周部を支える部分に、前記ネジ穴を設けたネジ穴穿設壁を形成し、前記調整ネジは、前記ネジ穴と螺合して前記外側フレームと前記ネジ穴穿設壁との間隔を調整することにより、前記外側フレームに対する前記内側フレームの位置を調整する、ことを特徴とする。
【００１２】
（７）（５）の液晶表示装置は、前記位置固定部のいずれかは、前記液晶基板におけるいずれかの一辺の所定部分から、該一辺に沿って前記液晶基板の端部まで当接しつつ、該端部に対して延設されるように壁状に形成されて、該位置固定部は、前記端部に対して延設された部分に前記ネジ穴を形成し、前記調整ネジは、前記ネジ穴と螺合して前記外側フレームと該位置固定部との間隔を調整することにより、前記外側フレームに対する前記内側フレームの位置を調整する、ことを特徴とする。
【００１３】
（８）（４）乃至（５）の何れかの液晶表示装置は、前記液晶基板の下側に、前記液晶基板に光源を提供する光源部を含み、前記内側フレームは、前記液晶基板の外周部を支えるとともに、前記光源部の側方を覆い、前記内側フレームは、前記光源部の側方を覆う部分に、前記ネジ穴を設け、前記調整ネジは、前記ネジ穴と螺合して前記外側フレームと前記内側フレームとの間隔を調整することにより、前記外側フレームに対する前記内側フレームの位置を調整する、ことを特徴とする。
【００１４】
（９）（３）乃至（８）の何れかの液晶表示装置は、前記調整機構は、前記調整ネジの延長線上以外の部分に設けられる別の調整ネジであって、前記調整ネジが調整する前記間隔の方向と同一の方向に調整する少なくとも１つの調整ネジと、前記間隔の方向に対して垂直となる方向に調整する少なくとも１つの調整ネジと、を含む、ことを特徴とする。（９）の液晶表示装置によれば、液晶表示装置の表示領域の回転方向のずれをも調整できる。
【００１５】
（１０）（１）乃至（９）の何れかの液晶表示装置は、前記外側フレーム及び前記固定部材は、互いに仮固定してこれらの位置関係を拘束する仮固定部をともに形成し、前記調整機構は、前記仮固定部に拘束される範囲内で前記外側フレームに対する前記固定部材の位置を調整する、ことを特徴とする。
【００１６】
（１１）（１）乃至（１０）の何れかの液晶表示装置は、前記外側フレームは、前記一部が露出する部分に、前記一部が収納されるように凹部を形成する、ことを特徴とする。
【００１７】
（１２）（４）乃至（８）の何れかの液晶表示装置は、前記内側フレームは、金属及び樹脂により一体成型されて、少なくとも前記調整ネジと螺合するネジ穴を設ける部分が樹脂で形成される、ことを特徴とする。
【発明を実施するための最良の形態】
【００１８】
［実施形態１］
以下、本発明の実施の形態について、図面を参照しながら説明する。
【００１９】
図１は、本発明に係る液晶表示装置の主要な部材を示す展開斜視図である。本発明に係る液晶表示装置は、同図で示すように、外側フレームＯＦ、液晶基板ＬＣ、内側フレームＩＦ、光学シートＯＳ、導光板ＬＧ、下側フレームＵＦを含んで構成される。
【００２０】
まず、液晶基板ＬＣは、薄膜トランジスタ（ＴＦＴ）がマトリクス状に形成されたガラス基板であるＴＦＴ基板と、カラーフィルタが形成されたガラス基板であるカラーフィルタ基板とを含み、これらの基板が液晶材を挟持している。ここで液晶材とは、液体の流動性と固体（結晶）の光学的性質を併せ持って、電圧等によって液晶材を構成する液晶分子の向きを変えて、光の状態を制御することができる物質のことをいう。そして、カラーフィルタ基板には、液晶材を挟持する側の反対側に上偏光板が、ＴＦＴ基板には、液晶材を挟持する側の反対側に下偏光板が形成されている。液晶基板ＬＣには、さらにドライバ及びフレキシブルプリント基板が設けられて、これらから各画素回路に電源および信号が提供されることにより液晶材が駆動されることとなる。
【００２１】
この液晶基板ＬＣには、面発光する導光板ＬＧから光学シートＯＳを介して光が提供されて、提供された光は下偏光板を通過する際に直線偏光となる。そして直線偏光となった光は、液晶材を通過する際に液晶材の結晶状態に応じて画素毎に偏光方向を制御され、その偏光状態に応じて上偏光板を透過したり、遮蔽されたりすることとなる。液晶基板ＬＣは、液晶材が偏光方向を制御して光を上偏光板に選択的に透過させることによって、画像又は映像を形成する。
【００２２】
また、本実施形態にかかる液晶表示装置には、導光板ＬＧ及び光学シートＯＳを収容する下側フレームＵＦが設けられる。導光板ＬＧは、例えば樹脂等を射出成形することによって形成され、液晶基板ＬＣが設けられている側に発光する発光面を有している。また、光学シートＯＳは導光板ＬＧの発光面からの光を略均等な光量分布となるように液晶基板ＬＣに入射させる。導光板ＬＧの側面の所定箇所には、例えば、光を発生させる発光素子であるＬＥＤ光源が導光板ＬＧに密接するように設けられ、このＬＥＤ光源には電源を提供するフレキシブルプリント基板が接続される。また、導光板ＬＧの側面や下面（発光面が設けられている側とは反対側の面）には、反射シートが設けられて、ＬＥＤ光源から導光板ＬＧの側面や下面に達した光を、液晶基板ＬＣ側に向けて面発光する導光板ＬＧの発光面に誘導する。下側フレームＵＦは、これらの導光板ＬＧ及び光学シートＯＳとともに、反射シートやＬＥＤ光源を収容することとしてもよい。これら導光板ＬＧ等は、液晶表示装置において、液晶基板ＬＣに光源を提供する光源部となる。
【００２３】
そして、本実施形態にかかる液晶表示装置は、導光板ＬＧ等を収容する下側フレームＵＦの上側からその側方にわたって覆いかぶさるように、内側フレームＩＦを設けている。この内側フレームＩＦは、液晶基板ＬＣを固定する固定部材の一形態であり、内側フレームＩＦは液晶基板ＬＣを載置して固定する。本実施形態における内側フレームＩＦは、液晶基板ＬＣに導光板ＬＧからの光を提供するために、後述の表示領域ＤＰが形成される位置に応じて開口し、枠状に形成されている。図１で示すように、内側フレームＩＦには位置固定部ＰＷが壁状に形成される。液晶基板ＬＣは、位置固定部ＰＷにその位置が固定されつつ液晶基板ＬＣの下偏光板に両面テープが貼り付けられて、内側フレームＩＦに固定される。また、液晶基板ＬＣは、位置固定部ＰＷと嵌め合わせあることにより固定されてもよい。
【００２４】
さらに、本実施形態における液晶表示装置は、液晶基板ＬＣの上側から内側フレームＩＦ及び下側フレームＵＦの側方に渡って覆いかぶさるように外側フレームＯＦを設けている。この外側フレームＯＦは、開口部を形成して枠状に液晶基板ＬＣを覆うとともに、外側フレームＯＦの内側には、液晶基板ＬＣとこれを固定する内側フレームＩＦが設けられる。この開口部には、後述する図３で示す表示領域ＤＰが液晶基板ＬＣによって形成されるとともに、液晶基板ＬＣの上偏光板等を保護する保護部材ＰＭが設けられる。本実施形態における表示領域ＤＰは、液晶基板ＬＣにおいて表示用の画素回路がマトリクス状に配置される領域であって、後述する図３で示すように、外側フレームＯＦが開口する領域よりも内側に表示領域ＤＰが設けられる。
【００２５】
ここで、本実施形態における液晶表示装置は、内側フレームＩＦの側面の所定箇所にネジ穴ＳＨが設けられ、当該所定箇所に対応する外側フレームＯＦの側面の所定箇所に貫通穴ＰＨが設けられ、この貫通穴ＰＨとネジ穴ＳＨに挿入される調整ネジＡＳを設けている。これらについての詳細は後述する。
【００２６】
図２は、図１における各部材を組み立てて、下側フレームＵＦの下側からコネクタ等を収納するカバーＣＶを取り付けて液晶表示装置を完成させた様子を示す図である。ここで、液晶表示装置に含まれる各部材は、所定の寸法公差と組立公差を満足するように製造される。具体的には、例えば、液晶基板ＬＣの外形形状に±０．２ｍｍ、内側フレームＩＦの外形形状に±０．１ｍｍ、外側フレームＯＦの外形形状に±０．１ｍｍの寸法公差が許容されて、液晶基板ＬＣと内側フレームＩＦの組立公差に±０．１ｍｍ、外側フレームＯＦと内側フレームＩＦとの間の間隔に±０．１ｍｍの寸法公差が許容されている。
【００２７】
この図２に示すような液晶表示装置を、最終的にユーザに使用されるディスプレイの外形を形成する筐体に実装するためには、表示領域ＤＰの位置と外側フレームＯＦの位置とを所定の寸法公差で管理する必要がある。ここで、図３は、本実施形態に係る液晶表示装置において管理される公差の一例を示す図である。具体的には、例えば図３の間隔Ａおよび間隔Ｂで示す部分に寸法公差が設けられ、外側フレームＯＦの外形の所定箇所から表示領域ＤＰまでの間隔が管理される。各部材が上述のような公差を有している場合には、間隔Ａ及び間隔Ｂに±０．３〜０．４ｍｍ程度のばらつきが生じる。そこで本実施形態では、間隔Ａ及び間隔Ｂの寸法公差を、例えば±０．１ｍｍ内に抑制するべく、調整機構を用いて、液晶表示装置を組み立てた後に、外側フレームＯＦと表示領域ＤＰの位置関係を調整する。
【００２８】
ここで、以下において、調整ネジＡＳをはじめとする調整機構について詳細に述べる。
【００２９】
本実施形態における液晶表示装置は、ディスプレイの外形を形成する筐体に実装する前に、内側フレームＩＦの外側フレームＯＦに対する位置を調整する調整機構を設けている。この調整機構は、内側フレームＩＦと外側フレームＯＦとを連結するように設けられて、少なくともその一部が外側フレームの外側フレームＯＦに露出している。これにより調整機構は、液晶表示装置を組み立てた後に、作業員等による調整操作を受け入れることができ、調整機構に連動して、外側フレームＯＦに対する内側フレームＩＦ及び表示領域ＤＰの位置が調整される。
【００３０】
本実施形態における調整機構は、具体的には調整ネジＡＳである。調整ネジＡＳは、液晶基板ＬＣを固定する内側フレームＩＦに対して外側フレームＯＦが覆いかぶさるように支持された状態で、各貫通穴ＰＨとそれぞれ対応するネジ穴ＳＨに挿入される。
【００３１】
ここで外側フレームＯＦ及び内側フレームＩＦの複数個所に、例えばスナップフィットのような仮止め機構が設けられて、内側フレームＩＦが外側フレームＯＦに支持されるのが好適である。スナップフィットは、外側フレームＯＦに設けられた締結部に内側フレームＩＦの締結部を嵌め合わせることにより、内側フレームＩＦを弾性的に拘束して固定する。これにより内側フレームＩＦは、スナップフィット等の仮止め機構による可動範囲内で、外側フレームＯＦに対する位置を拘束されることとなる。なお、下側フレームＵＦと内側フレームＩＦも同様にスナップフィットによって固定されてよい。
【００３２】
そして、外側フレームＯＦの貫通穴ＰＨが設けられている位置に対応して内側フレームＩＦのネジ穴ＳＨが設けられる。仮止め機構によって仮固定された外側フレームＯＦと内側フレームＩＦに調整ネジＡＳを挿入すると、仮止め機構に拘束される範囲内で外側フレームＯＦに対する内側フレームＩＦの位置を調整可能に固定される。
【００３３】
調整ネジＡＳのネジ頭は外側フレームＯＦの貫通穴ＰＨの穴径よりも大きく形成され、当該ネジ頭が外側フレームＯＦと係合してその外側に露出する。そして、調整ネジＡＳのネジ頭と外側フレームＯＦの間には、後述する図５等で示されるように、これらに介在するようにゴムワッシャＧＭ等が設けられ、貫通穴ＰＨの近傍でゴムワッシャＧＭが外側フレームＯＦに接着される。
【００３４】
このゴムワッシャＧＭにより、調整ネジＡＳが外側フレームＯＦにおいて回転可能に保持されることとなる。具体的には、貫通穴ＰＨに対して調整ネジＡＳが前進後進する方向の摩擦力を回転方向の摩擦力よりも大きくするゴムワッシャＧＭを設けることにより、調整ネジＡＳが回転する場合であってもネジ頭の位置が外側フレームＯＦに対して固定される。
【００３５】
そして、調整ネジＡＳのネジ棒部分には雄ネジ溝が刻設されて、ネジ穴ＳＨに刻設された雌ネジ溝と螺合し、調整ネジＡＳのネジ頭が外側フレームＯＦに対して回転可能に固定されている。これにより調整ネジＡＳの回転によって外側フレームＯＦに対する内側フレームＩＦの位置関係を調整できる。
【００３６】
本実施形態における調整ネジＡＳは、外側フレームＯＦの開口部分に対して±０．３〜０．４ｍｍの範囲でばらつきが生じる表示領域ＤＰの位置を、各液晶表示装置毎に調整するためのものである。従って調整ネジＡＳで調整可能となる範囲が上記のばらつきと同様の範囲（もしくは若干小さい範囲）であれば、図２における間隔Ａ及び間隔Ｂにおける公差を±０．１ｍｍ程度に抑えることができる。
【００３７】
さらに以下では、図４及び図５を用いて、外側フレームＯＦと、その内側に設けられている内側フレームＩＦと、これらを連結するように設けられた調整ネジＡＳの様子を具体的に説明する。
【００３８】
ここで図４は、液晶表示装置の上面図を模式的に示す図であって、同図においては調整ネジＡＳが省略されている。同図で示すように、外側フレームＯＦの開口部分には、液晶基板ＬＣによって表示領域ＤＰが形成される。そして図５は、本実施形態に係る液晶表示装置において図４のＶ−Ｖ線の断面を模式的に示す図である。同図で示すように、下側フレームＵＦのさらに下側には、コネクタＣＮが設けられて、取付部ＪＮによって、コネクタＣＮを覆うようにカバーＣＶが取り付けられている。
【００３９】
図５で示すように、内側フレームＩＦの側面にネジ穴ＳＨが、かつ、外側フレームＯＦの側面に貫通穴ＰＨが設けられて、調整ネジＡＳはこれらに挿入されている。調整ネジＡＳのネジ棒部分の長さや雄ねじ溝が刻設される部分の長さは、間隔Ａ及び間隔Ｂがばらつく範囲よりも十分大きくなるように形成される。そして、調整ネジＡＳは、貫通穴ＰＨにおいて外側フレームＯＦに係止されて回転可能に固定されるとともに、外側フレームＯＦと内側フレームＩＦとの間に所定の間隔を設けつつ、内側フレームＩＦのネジ穴ＳＨに螺挿されて、ネジ穴ＳＨにおいて内側フレームＩＦを貫通してネジ棒部分の一部を内側フレームＩＦの内側に突出させる。ネジ穴ＳＨから調整ネジＡＳが突出する長さも、上記の間隔Ａ及び間隔Ｂがばらつく範囲よりも十分大きくなるように形成するのが望ましい。
【００４０】
図５において、調整ネジＡＳの外側に露出しているネジ頭を例えば時計回りに回転させると、調整ネジＡＳと螺合するネジ穴ＳＨが外側フレームＯＦの側に移動することとなる。これにより、内側フレームＩＦと外側フレームＯＦとの間に設けられた間隔が回転量に応じて狭くなるとともに、内側フレームＩＦに固定された液晶基板ＬＣも連動して外側フレームＯＦの側に移動することとなる。
【００４１】
内側フレームＩＦは、液晶基板ＬＣの外周部を枠状に支えており、内側フレームＩＦが液晶基板ＬＣを支える部分には位置固定部ＰＷが形成されている。位置固定部ＰＷは、液晶基板ＬＣの厚さ方向に平行に突起して壁状に形成され、図５で示すように、位置固定部ＰＷに設けられた両面テープＤＴ、及び、内側フレームＩＦが枠状に形成されている部分に設けられた両面テープＤＴによって、液晶基板ＬＣが固定される。
【００４２】
この位置固定部ＰＷは、両面テープＤＴの材質が劣化することにより粘着力が弱くなる場合に、液晶基板ＬＣの位置が変動するのを防止する。位置固定部ＰＷは、図１で示すように液晶基板ＬＣの各辺に沿って形成されてもよい。また、両面テープＤＴの粘着力が弱くなる場合に、例えば重力やフレキシブルプリント基板による復元力が液晶基板ＬＣに作用することによって、特定の方向にその位置が変動するのを防止するように、位置固定部ＰＷは一部の辺に沿って形成されてもよい。
【００４３】
また、図５に示すように、貫通穴ＰＨ、ネジ穴ＳＨ、調整ネジＡＳが、導光板ＬＧ等の光源を形成する部材を収納する下側フレームＵＦよりも下側に、表示領域ＤＰからさらに離れるようにして設けられている。同図で示すように、当該部分では、内側フレームＩＦが内側に折れ曲がることにより、外側フレームＯＦとの距離が確保されている。また、ネジ穴ＳＨの位置が、調整ネジＡＳと下側フレームＵＦとが緩衝しないように形成されているため、調整ネジＡＳのネジ棒部分をネジ穴ＳＨから十分に突出させることができる。
【００４４】
調整ネジＡＳは、図１で示すように、本実施形態では３箇所に設けられている。具体的には、図１で示すように、外側フレームＯＦの一辺に調整ネジＡＳを２つ設けており、当該一辺に対して垂直となる方向の一辺に１つの調整ネジＡＳを設けている。これにより、表示領域ＤＰの位置を縦横方向に調整できるとともに、表示領域ＤＰが外側フレームＯＦの開口部に対してθ方向にずれが発生している場合にも、調整が可能となる。
【００４５】
また、調整ネジＡＳは、外側フレームＯＦの異なる３つの辺に１つずつ設けることとしてもよい。この際、互いに向かい合う２辺に設けられた調整ネジＡＳは、θ方向のずれを調整できるように、一方の調整ネジＡＳの延長線上以外の部分に調整ネジＡＳを設けるように、互いに斜向かいとなる位置に設ける。
【００４６】
［実施形態２］
図６は、実施形態２にかかる液晶表示装置の上面図を模式的に示す図４のＶＩ−ＶＩ線の断面の様子を示す図であり、内側フレームＩＦと外側フレームＯＦの間に介在する調整ネジＡＳの様子を模式的に示している。
【００４７】
実施形態２における外側フレームＯＦは、図６で示すように、調整ネジＡＳのネジ頭を収納する凹部を設けている。この凹部には貫通穴ＰＨが設けられ、調整ネジＡＳのネジ頭が、外側フレームＯＦの凹部に収納されることにより、外側フレームＯＦを筐体に取り付けやすくなる。
【００４８】
なお、スナップフィットＳＦが、調整ネジＡＳが存在するＶＩ−ＶＩ線の断面において設けられており、調整ネジＡＳが設けられている側に対して反対側となる内側フレームＩＦと外側フレームＯＦの隙間にはクッションＣＵが設けられている。実施形態２は、これらの点以外は、上述した実施形態１にかかる液晶表示装置と略同様である。
【００４９】
［実施形態３］
図７は、実施形態３にかかる液晶表示装置の上面図を模式的に示す図４のＶＩ−ＶＩ線の断面の様子を示す図であり、内側フレームＩＦと外側フレームＯＦの間に介在する調整ネジＡＳの様子を模式的に示す図である。
【００５０】
実施形態３における外側フレームＯＦは、図７で示すように、調整ネジＡＳのネジ頭を収納する凹部を設けており、特に内側フレームＩＦが液晶基板ＬＣの外周部を支える部分においてネジ穴ＳＨを設けたネジ穴穿設壁ＳＷを壁状に形成している。このネジ穴穿設壁ＳＷは、調整ネジＡＳのネジ棒部分が突出するための十分なスペースを確保するように、位置固定部ＰＷから離れた位置に形成される。
【００５１】
調整ネジＡＳは、貫通穴ＰＨにおいて外側フレームＯＦに係止されて回転可能に固定されるとともに、外側フレームＯＦとネジ穴穿設壁ＳＷとの間に所定の間隔を設けつつ、ネジ穴穿設壁ＳＷに設けられたネジ穴ＳＨに螺挿される。そして、ネジ棒部分の一部が、ネジ穴ＳＨにおいてネジ穴穿設壁ＳＷを貫通して、液晶基板ＬＣや位置固定部ＰＷと緩衝しないよう突出される。
【００５２】
なお、外側フレームＯＦに調整ネジＡＳのネジ頭を収納する凹部を設けている点、及び、スナップフィットＳＦやクッションＣＵが設けられている点は上記の実施形態２と同様である。実施形態３は、これらの点以外については、上述した実施形態１にかかる液晶表示装置と略同様である。
【００５３】
［実施形態４］
図８は、実施形態４にかかる液晶表示装置において、液晶基板ＬＣが内側フレームＩＦに固定されている様子を示すとともに、調整ネジＡＳが位置固定部ＰＷに螺設される様子を模式的に示す図である。実施形態４では、位置固定部ＰＷが液晶基板ＬＣの外周を形成する一辺の所定部分からその端部まで当接しつつ、その端部を経て液晶基板ＬＣに対して延設されるように壁状に形成されている。そして、位置固定部ＰＷが液晶基板ＬＣの端部に対して延設されるように設けられた部分にネジ穴ＳＨが設けられ、調整ネジＡＳが螺設される。これにより調整ネジＡＳが液晶基板ＬＣ等に緩衝せず、外側フレームＯＦに対して内側フレームＩＦの位置が調整可能に固定されることとなる。
【００５４】
この実施形態４は、上記の点以外については、上述した実施形態１にかかる液晶表示装置と同様である。
【００５５】
なお、上記の実施形態１をはじめとする各実施形態では、調整ネジＡＳを３箇所に設けて表示領域ＤＰのθ方向の調整も可能にしているが、さらに多くの調整ネジＡＳを設けてθ方向の調整を可能としてもよい。また、調整ネジＡＳを１箇所に設けて表示領域ＤＰの位置を一方向だけ調整できるようにしてもよいし、外側フレームＯＦの一辺に調整ネジＡＳを２つ設ける等により、表示領域ＤＰの位置を該一辺に垂直な方向やθ方向に調整をできるようにしてもよい。また、外側フレームＯＦの一辺と該一辺に垂直となる一辺に調整ネジＡＳを１つずつ設けて、表示領域ＤＰの位置を二方向に調整できるようにしてもよい。
【００５６】
なお、上記の実施形態１をはじめとする各実施形態では、液晶基板ＬＣを固定する固定部材を内側フレームＩＦとしているが、フレーム状に形成されている部材である必要はなく、複数の支持部材によって液晶基板ＬＣを固定するものであってもよい。また、内側フレームＩＦは、下側フレームＵＦと一体的に形成されて光源を収納する部材であってもよい。内側フレームＩＦを固定する下側フレームＵＦにネジ穴ＳＨが設けられて、調整ネジＡＳによって外側フレームＯＦとの位置関係を調整されることとしてもよい。
【００５７】
なお、上記の実施形態１をはじめとする各実施形態では、調整機構を調整ネジＡＳとして例示しているが、調整ネジＡＳ以外の機構によって、外側フレームＯＦに対する内側フレームＩＦの位置が調整されてもよい。例えば、外側フレームＯＦの内側に沿ってレールを設け、このレールに対して内側フレームＩＦをスライドできるように嵌め合わせて、内側フレームＩＦの外側フレームＯＦに対する位置を調整できるようにしてもよい。
【００５８】
なお、上記の実施形態１をはじめとする各実施形態では、調整ネジＡＳと外側フレームＯＦとの間にゴムワッシャＧＭが設けられて外側フレームＯＦに接着されるとしているが、ゴムワッシャＧＭを設けずに、別途、接着性の樹脂によって調整ネジＡＳが回転可能に固定されることとしてもよい。
【００５９】
なお、上記の実施形態１をはじめとする各実施形態における外側フレームＯＦ、内側フレームＩＦ、下側フレームＵＦ等は金属で形成されてもよいし樹脂で形成されてもよい。また、例えば内側フレームＩＦが外側フレームＯＦよりも温度変化が激しい環境にある場合には、樹脂よりも熱膨張係数が一般的に低くなる金属を内側フレームＩＦに用いて、外側フレームＯＦを樹脂による射出成型によって形成する。また、内側フレームＩＦを金属と樹脂とで一体成型してもよく、この場合には、例えば、ネジ穴ＳＨが設けられる部分は樹脂で形成し、その他の部分を金属で形成する。これにより、外側フレームＯＦに仮止めした内側フレームＩＦに対して調整ネジＡＳを貫通させることにより、ネジ穴ＳＨを効率的に設けることができる。
【００６０】
なお、本発明の実施形態に係る液晶表示装置は、ＩＰＳ（In-Plane Switching）方式、ＶＡ（Vertically Aligned）方式、ＴＮ（Twisted Nematic）方式のいずれの駆動方式であってもよいし、その他の駆動方式であってもよい。本発明に係る液晶表示装置は、上記の実施形態に限定されるものではなく、その技術思想を逸脱することなく種々の変更が可能であることは言うまでもない。
【図面の簡単な説明】
【００６１】
【図１】本発明の実施形態１に係る液晶表示装置の主要な部材を示す展開斜視図である。
【図２】本発明の実施形態１に係る液晶表示装置の斜視図である。
【図３】本発明の実施形態１に係る液晶基板において管理される公差の一例を示す図である。
【図４】本発明の各実施形態に係る液晶表示装置の上面図である。
【図５】本発明の実施形態１における内側フレームと外側フレームの間に介在する調整ネジの様子を模式的に示すＶ−Ｖ線断面図である。
【図６】本発明の実施形態２における内側フレームと外側フレームの間に介在する調整ネジの様子を模式的に示すＶＩ−ＶＩ線断面図である。
【図７】本発明の実施形態３における内側フレームと外側フレームの間に介在する調整ネジの様子を模式的に示すＶＩ−ＶＩ線断面図である。
【図８】本発明の実施形態４における液晶基板が固定された内側フレームに調整ネジが設けられる様子を模式的に示す図である。
【符号の説明】
【００６２】
ＬＣ  液晶基板、ＯＦ  外側フレーム、ＩＦ  内側フレーム、ＵＦ  下側フレーム、ＡＳ  調整ネジ、ＰＨ  貫通穴、ＳＨ  ネジ穴、ＬＧ  導光板、ＯＳ  光学シート、ＲＳ  反射シート、ＰＷ  位置固定部、ＳＷ  ネジ穴穿設壁、ＤＴ  両面テープ、ＣＮ  コネクタ、ＪＮ  取付部、ＣＶ  カバー、ＣＵ  クッション、ＤＰ  表示領域、ＰＭ  保護部材、ＳＦ  スナップフィット。
【図１】
2010072600.tif 000003
【図２】
2010072600.tif 000004
【図３】
2010072600.tif 000005
【図４】
2010072600.tif 000006
【図５】
2010072600.tif 000007
【図６】
2010072600.tif 000008
【図７】
2010072600.tif 000009
【図８】
2010072600.tif 000010